(57)【要約】  【課題】  フロントモニタ用受光素子を光路内に配設した光ヘッド装置において、光記録媒体によって反射された不要光が対物レンズ先の光量の制御に影響を与えることを抑制することができる光ヘッド装置を提供する。  【解決手段】  光ヘッド装置は、レーザ光源から光記録媒体に向かう光路上にハーフミラーを有し、ハーフミラーは、レーザ光源から出射されたレーザ光を、部分透過および部分反射のいずれか一方によって対物レンズに導くとともに、部分透過および部分反射のいずれか他方によってフロントモニタ用受光素子に導き、フロントモニタ用受光素子は、光記録媒体によって反射されてハーフミラーによってフロントモニタ用受光素子側へ導かれるレーザ光の対物レンズの開口で規定されたスポット領域３０ｃから受光中心位置４５ａが外された位置に配設されたことを特徴とする。【選択図】  図８
2008251110.tif 000002
【特許請求の範囲】
【請求項１】
レーザ光源と、前記レーザ光源から出射されたレーザ光を光記録媒体上に収束させる対物レンズと、前記レーザ光源から出射された前記レーザ光を受光するフロントモニタ用受光素子とを有する光ヘッド装置において、
前記レーザ光源から前記光記録媒体に向かう光路上に光路分離素子を有し、
前記光路分離素子は、前記レーザ光源から出射された前記レーザ光を、部分透過および部分反射のいずれか一方によって前記対物レンズに導くとともに、部分透過および部分反射のいずれか他方によって前記フロントモニタ用受光素子に導き、
前記フロントモニタ用受光素子は、前記対物レンズの開口で規定されて前記光記録媒体によって反射されて前記光路分離素子によって前記フロントモニタ用受光素子側へ導かれる前記レーザ光のスポット領域から受光中心位置が外された位置に配設されたことを特徴とする光ヘッド装置。
【請求項２】
前記フロントモニタ用受光素子は、トラッキング制御による前記対物レンズの移動によって移動する全ての前記スポット領域から前記受光中心位置が外された位置に配設されたことを特徴とする請求項１に記載の光ヘッド装置。
【請求項３】
前記フロントモニタ用受光素子は、トラッキング制御による前記対物レンズの移動によって移動する全ての前記スポット領域から受光部の全体が外された位置に配設されたことを特徴とする請求項２に記載の光ヘッド装置。
【請求項４】
請求項１乃至３のいずれかにおいて、前記レーザ光源から出射される前記レーザ光の放射角度が変化したときの前記対物レンズのカップリング効率と前記フロントモニタ用受光素子のカップリング効率とのリニアリティを求め、前記受光中心位置を前記レーザ光の中心軸上からずらして前記リニアリティの絶対値が小さい位置に配設したことを特徴とする請求項１から請求項３までの何れかに記載の光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録媒体の再生および記録の少なくとも一方を行う光ヘッド装置に関するものである。
【背景技術】
【０００２】
従来、ＣＤやＤＶＤなどの光記録媒体の再生、記録に用いられる光ヘッド装置において、レーザ光源から出射されるレーザ光の放射角度が変化したときの対物レンズのカップリング効率と、フロントモニタ用受光素子のカップリング効率とのリニアリティを求め、リニアリティの良好な位置、すなわち、リニアリティの絶対値が小さい位置にフロントモニタ用受光素子の受光中心位置を配置したものが知られている（例えば、特許文献１、２参照）。
【特許文献１】特開２００３−３１７２９６号公報
【特許文献２】特開２００４−１７１６４３号公報
【発明の開示】
【発明が解決しようとする課題】
【０００３】
上記従来のリニアリティが改善された光ヘッド装置において、再生または記録を失敗することがあるという問題がある。
【０００４】
本願発明者らは、再生または記録を失敗する光ヘッド装置の構成が、フロントモニタ用受光素子を光路外に配設して光学素子の外側に漏れるレーザ光をフロントモニタ用受光素子によって検知する構成ではなく、フロントモニタ用受光素子を光路内に配設してミラー部材やプリズム等を部分透過または部分反射させたレーザ光をフロントモニタ用受光素子によって検知する構成であることと、（ここで、光路内とは、往路において、レーザから出射された光の中で対物レンズの開口を通ってディスクに導かれる光が通る範囲のこと、しかもレンジシフトや３ビームを考慮した範囲のことである。）再生または記録を失敗する光ヘッド装置においてはリニアリティの改善に伴って許容幅の狭いシビアな制御が行われていることとに着目し、リニアリティの改善によって今まで問題にならなかった不要光と関係があるのではないかとの仮説を立て、検証を試みた。その結果、再生または記録を失敗する原因は、不要光、すなわち、光記録媒体で反射されてフロントモニタ用受光素子に入射したレーザ光の光量が、リニアリティの改善に伴う許容幅の狭いシビアな制御により無視することができないレベルであることが分かった。光記録媒体で反射されたレーザ光である不要光は、光記録媒体の記録ビットによって変調し光量が変化するので、不要光を受光したフロントモニタ用受光素子の検知結果は、対物レンズから光記録媒体に向けて出射されるレーザ光の光量と相関がなくなるのである。
【０００５】
リニアリティの検査では、光記録媒体の配設位置に測定機器を置いてフロントモニタ用受光素子を調整固定している。測定機器によって反射されたレーザ光は、光記録媒体によって反射されたレーザ光とは異なり、光量が一定である。したがって、たとえ測定機器によって反射されたレーザ光がフロントモニタ用受光素子に入射しても、フロントモニタ用受光素子の検知結果が不安定になることはない。そのため、上記の問題は、リニアリティの検査では、全く予期できなかったのである。
【０００６】
以上の問題点に鑑みて、本発明の課題は、フロントモニタ用受光素子を光路内に配設した光ヘッド装置において、光記録媒体によって反射された不要光が対物レンズ先の光量の制御に影響を与えることを抑制することができる光ヘッド装置を提供することにある。
【課題を解決するための手段】
【０００７】
本発明の光ヘッド装置は、レーザ光源と、前記レーザ光源から出射されたレーザ光を光記録媒体上に収束させる対物レンズと、前記レーザ光源から出射された前記レーザ光を受光するフロントモニタ用受光素子とを有する光ヘッド装置において、前記レーザ光源から前記光記録媒体に向かう光路上に光路分離素子を有し、前記光路分離素子は、前記レーザ光源から出射された前記レーザ光を、部分透過および部分反射のいずれか一方によって前記対物レンズに導くとともに、部分透過および部分反射のいずれか他方によって前記フロントモニタ用受光素子に導き、前記フロントモニタ用受光素子は、前記対物レンズの開口で規定されて前記光記録媒体によって反射されて前記光路分離素子によって前記フロントモニタ用受光素子側へ導かれる前記レーザ光のスポット領域から受光中心位置が外された位置に配設されたことを特徴とする。
【０００８】
この構成により、本発明の光ヘッド装置は、フロントモニタ用受光素子の受光中心位置が不要光のスポット領域から外されているので、光記録媒体によって反射された不要光が対物レンズ先の光量の制御に影響を与えることを抑制することができる。
【０００９】
本発明の光ヘッド装置の前記フロントモニタ用受光素子は、トラッキング制御による前記対物レンズの移動によって移動する全ての前記スポット領域から前記受光中心位置が外された位置に配設されることが好ましい。
【００１０】
この構成により、本発明の光ヘッド装置は、トラッキング制御による対物レンズの移動によって移動する全てのスポット領域からフロントモニタ用受光素子の受光中心位置が外されているので、光記録媒体によって反射された不要光が対物レンズ先の光量の制御に影響を与えることを更に抑制することができる。
【００１１】
本発明の光ヘッド装置の前記フロントモニタ用受光素子は、トラッキング制御による前記対物レンズの移動によって移動する全ての前記スポット領域から受光部の全体が外された位置に配設されることが好ましい。
【００１２】
この構成により、本発明の光ヘッド装置は、トラッキング制御による対物レンズの移動によって移動する全てのスポット領域からフロントモニタ用受光素子の受光部の全体が外されているので、光記録媒体によって反射された不要光が対物レンズ先の光量の制御に影響を与えることを更に抑制することができる。
【００１３】
本発明の光ヘッド装置は、前記レーザ光源から出射される前記レーザ光の放射角度が変化したときの前記対物レンズのカップリング効率と前記フロントモニタ用受光素子のカップリング効率とのリニアリティを求め、前記受光中心位置を前記レーザ光の中心軸上からずらして前記リニアリティの絶対値が小さい位置に配設することが好ましい。このように構成すると、レーザ光源の高出力であっても精度良く対物レンズ先の光量を制御することができる。
【発明の効果】
【００１４】
本発明の光ヘッド装置では、フロントモニタ用受光素子の受光中心位置が不要光のスポット領域から外されているので、光記録媒体によって反射された不要光が対物レンズ先の光量の制御に影響を与えることを抑制することができる。
【発明を実施するための最良の形態】
【００１５】
以下に、図面を参照して、本発明を適用した光ヘッド装置について説明する。
【００１６】
（光ヘッド装置の全体構成）
図１（Ａ）、（Ｂ）、（Ｃ）は各々、本発明を適用した光ヘッド装置の平面図、側面図、および底面カバーなどを外した状態の底面図である。
【００１７】
図１において、光ヘッド装置１は、一般的にＣＤおよびＤＶＤなどの光記録媒体５（図２参照。）に対する情報の再生および記録の少なくとも一方を行うものである。本形態の場合では、ＣＤに対しては情報の再生および記録行っており、ＤＶＤに対しては情報の再生のみを行っている。光ヘッド装置１は、マグネシウムや亜鉛などのダイカスト品からなる金属製、あるいは樹脂製の装置フレーム２を有しており、この装置フレーム２の両端の各々には、ディスク駆動装置（図示していない。）のガイド軸（図示していない。）や送りねじ軸（図示していない。）が係合する軸受部２１および軸受部２２が形成されている。装置フレーム２の一方側の側面は、ディスク駆動機構のスピンドルモータ（図示していない。）に接近した際の干渉を防止するために略円弧状に湾曲している。
【００１８】
装置フレーム２の上面側では略中央に対物レンズ９１が配置されているとともに、装置フレーム２には、対物レンズ９１の位置をフォーカシング方向やトラッキング方向にサーボ制御する対物レンズ駆動機構９が搭載されている。本形態の光ヘッド装置１では、共通の対物レンズ９１により第１のレーザ光および第２のレーザ光による記録、再生を行うため、対物レンズ９１については、同心円状の溝や段差により回折格子が形成された２波長レンズが用いられている。本形態では、対物レンズ駆動機構９としてワイヤサスペンション方式のものを用いており、かかる対物レンズ駆動機構９としては周知のものを用いることができるので、詳細な説明を省略するが、対物レンズ９１を保持しているレンズホルダと、このレンズホルダを複数本のワイヤでトラッキング方向およびフォーカシング方向に移動可能に支持しているホルダ支持部と、装置フレーム２に固定されたヨークとを備えている。また、対物レンズ駆動機構９は、レンズホルダに取り付けられた駆動コイルと、ヨークに取り付けられた駆動マグネットにより構成される磁気駆動回路を備えており、駆動コイルに対する通電を制御することにより、レンズホルダに保持された対物レンズ９１を光記録媒体５に対してトラッキング方向およびフォーカシング方向に駆動する。また、対物レンズ駆動機構９は、対物レンズ９１のジッタ方向の傾きを調整するチルト制御も可能である。なお、対物レンズ９１の周りは、矩形枠状のアクチュエータカバー９０で覆われている。
【００１９】
また、装置フレーム２には、コネクタ６などが搭載された可撓性基板８１が配置されており、この可撓性基板８１を介して、後述するレーザ光源３１、３２および信号検出用受光素子４０に電源供給や信号供給などを行う。
【００２０】
（光学系の構成）
図２は、本発明を適用した光ヘッド装置の光学系を示す概略構成図である。
【００２１】
図１（Ｃ）および図２に示すように、本形態の光ヘッド装置１は、波長が７８０ｎｍ帯の第１のレーザ光、および波長が６５０ｎｍ帯の第２のレーザ光を用いてＣＤ系ディスクおよびＤＶＤ系ディスクに対する情報の記録または再生が可能な２波長光ヘッド装置であり、装置フレーム２の端部の互いに隣接する箇所には、第１のレーザ光を出射するＡｌＧａＩｎＰ系のレーザダイオードを備えたレーザ光源３１と、第２のレーザ光を出射するＡｌＧａＡｓ系のレーザダイオードを備えたレーザ光源３２とが搭載されている。
【００２２】
本形態の光ヘッド装置１では、レーザ光源３１から出射された第１のレーザ光をトラッキング検出用に３ビームに回折する回折格子５１１と、回折格子５１１により３ビームに分離したレーザ光を部分透過する光路分離素子としての平行平板状のハーフミラー５２１と、ハーフミラー５２１から出射されたレーザ光を光記録媒体５に向けて立ち上げる立ち上げミラー５３とが配置され、立ち上げミラー５３の上方位置には、レーザ光を平行光にするコリメートレンズ５４と、コリメートレンズ５４からの平行光を光記録媒体５の記録面に収束させる対物レンズ９１とが配置されている。
【００２３】
また、本形態の光ヘッド装置１では、レーザ光源３２から出射された第２のレーザ光をトラッキング検出用に３ビームに回折する回折格子５１２と、回折格子５１２により３ビームに分離したレーザ光を部分反射する平行平板状のハーフミラー５２２とが配置されている。
【００２４】
本形態では、ハーフミラー５２２によって部分反射されたレーザ光は、ハーフミラー５２１で部分反射した後、第１のレーザ光と同様、立ち上げミラー５３、コリメートレンズ５４、対物レンズ９１を経て光記録媒体５の記録面に照射される。
【００２５】
さらに、本形態の光ヘッド装置１において、光記録媒体５の記録面で反射された戻り光は、コリメートレンズ５４、立ち上げミラー５３を経て、ハーフミラー５２１で部分反射した後、ハーフミラー５２２を部分透過し、検出レンズ５６で非点収差を付与された後、信号検出用受光素子４０に到達する。
【００２６】
また、図１（Ｃ）に示すように、ハーフミラー５２１の近傍には、第１のレーザ光がハーフミラー５２１で部分反射した光を受光するフロントモニタ用受光素子４５が配置されている。なお、本形態の場合、レーザ光源３２には、第２のレーザ光の光量調整を行うモニター用受光素子が内蔵されている。
【００２７】
本形態の光ヘッド装置１では、レーザ光源３１と回折格子５１１との間には、レーザ光源３１の出射光が発散光としてハーフミラー５２１を部分透過する際に発生する収差（コマ収差および非点収差）を補正するためのカップリングレンズ５０が配置されている。
【００２８】
レーザ光源３１から信号検出用受光素子４０までの光路Ａは、レーザ光がレーザ光源３１から出射され、カップリングレンズ５０、回折格子５１１を透過して、ハーフミラー５２１を部分透過して、立ち上げミラー５３で反射され、コリメートレンズ５４、対物レンズ９１を透過して、光記録媒体５で反射され、再び対物レンズ９１、コリメートレンズ５４を透過して、立ち上げミラー５３で反射され、ハーフミラー５２１で部分反射され、ハーフミラー５２２を部分透過して、検出レンズ５６を透過して、信号検出用受光素子４０に到達する経路である。
【００２９】
レーザ光源３１からフロントモニタ用受光素子４５までの正式な光路Ｂは、レーザ光がレーザ光源３１から出射され、カップリングレンズ５０、回折格子５１１を透過して、ハーフミラー５２１で部分反射され、フロントモニタ用受光素子４５に到達する経路である。
【００３０】
レーザ光源３１からフロントモニタ用受光素子４５までの不要光の光路の一例である光路Ｃは、レーザ光がレーザ光源３１から出射され、カップリングレンズ５０、回折格子５１１を透過して、ハーフミラー５２１を部分透過して、立ち上げミラー５３で反射され、コリメートレンズ５４、対物レンズ９１を透過して、光記録媒体５で反射され、再び対物レンズ９１、コリメートレンズ５４を透過して、立ち上げミラー５３で反射され、ハーフミラー５２１を部分透過して、回折格子５１１、カップリングレンズ５０を透過して、レーザ光源３１で反射され、再びカップリングレンズ５０、回折格子５１１を透過して、ハーフミラー５２１で部分反射され、フロントモニタ用受光素子４５に到達する経路である。また、レーザ光源３１からフロントモニタ用受光素子４５までの不要光の光路の他の一例である光路Ｄは、レーザ光がレーザ光源３１から出射され、カップリングレンズ５０、回折格子５１１を透過して、ハーフミラー５２１を部分透過して、立ち上げミラー５３で反射され、コリメートレンズ５４、対物レンズ９１を透過して、光記録媒体５で反射され、再び対物レンズ９１、コリメートレンズ５４を透過して、立ち上げミラー５３で反射され、ハーフミラー５２１で部分反射され、ハーフミラー５２２を部分透過して、検出レンズ５６を透過して、信号検出用受光素子４０で反射され、検出レンズ５６を透過して、ハーフミラー５２２、ハーフミラー５２１を部分透過して、フロントモニタ用受光素子４５に到達する経路である。レーザ光源３１からフロントモニタ用受光素子４５までの不要光の光路は、上述した光路Ｃや光路Ｄ以外にも多数存在する。
【００３１】
レーザ光源３２から信号検出用受光素子４０までの光路は、レーザ光がレーザ光源３２から出射され、回折格子５１２を透過して、ハーフミラー５２２で部分反射され、ハーフミラー５２１で部分反射され、立ち上げミラー５３で反射され、コリメートレンズ５４、対物レンズ９１を透過して、光記録媒体５で反射され、再び対物レンズ９１、コリメートレンズ５４を透過して、立ち上げミラー５３で反射され、ハーフミラー５２１で部分反射され、ハーフミラー５２２を部分透過して、検出レンズ５６を透過して、信号検出用受光素子４０に到達する経路である。
【００３２】
記録、再生動作を行う際、レーザ光源３１から出射されたレーザ光については、上述したようにその一部をフロントモニタ用受光素子４５でモニターし、そのモニター結果に基づいてレーザ光源３１を制御し、対物レンズ９１から光記録媒体５に収束させるレーザ光の光量を制御している。
【００３３】
［フロントモニタ用受光素子４５の位置について］
図３は、レーザ光源３１の出力と、光強度のピーク値の１／２における放射角度との関係を示すグラフである。図４は、光強度のピーク値の１／２におけるＸ軸方向（水平方向）における放射角度θｘが９°、Ｙ軸方向（上下方向）における放射角度θｙが１７°の場合におけるフロントモニタ用受光素子４５のカップリング効率を示すグラフである。図５および図６はそれぞれ、光強度のピーク値の１／２におけるＸ軸方向における放射角度θｘを８°、９°、１０°とし、Ｙ軸方向における放射角度θｙを１５°、１６°、１７°、１８°、１９°としたときのフロントモニタ用受光素子４５のカップリング効率を示すグラフ、および対物レンズ９１のカップリング効率を示すグラフである。図７は、レーザ光源３１から出射されるレーザ光の放射角度が変化したとき、レーザ光源３１の光軸上を原点としたＸＹ座標上の各位置におけるリニアリティを算出した結果を示すグラフである。図８は、フロントモニタ用受光素子４５の受光面と同一平面上におけるレーザ光を示す図である。
【００３４】
このような光ヘッド装置１において、光記録媒体５への記録を行う際には、レーザ光源３１の出力が高出力状態と低出力状態とに高速で切り換えられるが、このような出力の切り換えを行うと、図３に示すように、レーザ光源３１から出射されるレーザ光の放射角度も変化する。一方、光強度のピーク値の１／２におけるＸ軸方向における放射角度θｘが９°、Ｙ軸方向における放射角度θｙが１７°の場合におけるレーザ光源３１の光軸上からのずれ量と、フロントモニタ用受光素子４５のカップリング効率との関係は、図４に示すように表わされるが、このような関係は、放射角度によって変化する。その結果、対物レンズ９１、およびフロントモニタ用受光素子４５とでは、低出力から高出力に切り換えられた際のカップリング効率の変化率が異なることになって、対物レンズ９１から光記録媒体５に収束させるレーザ光の光量をフロントモニタ用受光素子４５ではモニターできなくなってしまう。
【００３５】
そこで、本形態では、フロントモニタ用受光素子４５の受光中心位置４５ａ（図８参照。）については、以下に説明するように、レーザ光源３１からフロントモニタ用受光素子４５までの正式な光路Ｂを通ったレーザ光の中心軸３０ａ（図８参照。）からずらし、レーザ光源３１から出射されるレーザ光の放射角が変化しても、対物レンズ９１から光記録媒体５に収束させるレーザ光の光量をフロントモニタ用受光素子４５でモニター可能な位置に設定してある。
【００３６】
すなわち、本形態では、レーザ光源３１から出射されるレーザ光の放射角度が変化したときの対物レンズ９１のカップリング効率とフロントモニタ用受光素子４５のカップリング効率のリニアリティを求め、このリニアリティが小さい位置にフロントモニタ用受光素子４５の受光中心位置４５ａが来るようにフロントモニタ用受光素子４５の受光中心位置４５ａを光路Ｂのレーザ光の中心軸３０ａ上の位置からＸ軸方向（水平方向）およびＹ軸方向（上下方向）にずらしてある。
【００３７】
このような条件を求めるにあたって、まず、各因子を以下
Ｐ＠ＯＬ：対物レンズ９１先の光量
Ｐ＠ＬＤ：レーザ光源３１の発光量
Ｐ＠ＦＭ：フロントモニタ用受光素子４５への入射光量
Ｃｏｕｐｌｅ＠ＯＬ：対物レンズ９１のカップリング効率
Ｃｏｕｐｌｅ＠ＦＭ：フロントモニタ用受光素子４５のカップリング効率
ＴＲ（光学素子）：光学素子の伝送効率
Ｔ（ｍｉｒｒｏｒ）：ハーフミラー５２１の透過率
Ｔ（ＣＬ）：コリメートレンズ５４の透過率
Ｔ（ＯＬ）：対物レンズ９１の透過率
Ｒ（ｍｉｒｒｏｒ）：ハーフミラー５２１の反射率
Ｒ（ＲＭ）：立ち上げミラー５３の反射率
のように表わすと、対物レンズ９１先の光量（対物レンズから出射される光量）が一定のときのレーザ光源３１の発光量、およびこのときのフロントモニタ用受光素子４５への入射光量は下式で求められる。
【００３８】
【数１】
2008251110.tif 000003
【００３９】
【数２】
2008251110.tif 000004
【００４０】
また、式（１）（２）から、対物レンズ９１先の光量が一定のときのフロントモニタ用受光素子４５への入射光量、およびリニアリティは、下式で求められる。
【００４１】
【数３】
2008251110.tif 000005
【００４２】
【数４】
2008251110.tif 000006
【００４３】
ここで、レーザ光源３１の出力を高出力状態から低出力状態の間で変化させた場合のレーザ光の放射角度、およびその光強度分布は、図３および図４に示すように表わされることから、その際のＸ軸方向における放射角度θｘを８°、９°、１０°とし、Ｙ軸方向における放射角度θｙを１５°、１６°、１７°、１８°、１９°としたときのフロントモニタ用受光素子４５のカップリング効率（Ｃｏｕｐｌｅ＠ＦＭ）、および対物レンズ９１のカップリング効率（Ｃｏｕｐｌｅ＠ＯＬ）を求めると、図５および図６に示す結果が得られる。
【００４４】
また、レーザ光源３１の光軸上からＸ軸方向およびＹ軸方向へのずれ量と、リニアリティとの関係を求めると、図７に示す結果が得られる。
【００４５】
図７には、レーザ光源３１の光軸上を原点とするＸ−Ｙ座標上における各位置のリニアリティ分布の算出結果が示されており、この算出結果からわかるように、光路Ｂを通ったレーザ光の中心軸３０ａ上ではリニアリティが＋２．０％〜＋３．０％であるのに対して、そこから外側にはリニアリティが＋１．０％〜＋２．０％の領域が存在し、かつ、その周囲にはリアニリティが±０％〜＋１．０％の領域が存在している。
【００４６】
しかも、このようなリニアリティが小さい領域は、本実施の形態の場合、概ね、原点からＸ−Ｙ座標における第１象限および第３象限に向かって４５°傾いて延びている。なお、この角度は４５°に限定されるものではなく、レーザ光源３１の光軸周りの回転角度に対応し変化する。
【００４７】
そこで、本形態では、リニアリティの変化が小さい位置にフロントモニタ用受光素子４５の受光中心位置４５ａが来るようにフロントモニタ用受光素子４５の受光中心位置４５ａを光路Ｂを通ったレーザ光の中心軸３０ａ上からずらす。図８において、楕円形の線３０ｂは、対物レンズ９１先の光量と、フロントモニタ用受光素子４５への入射光量とのリニアリティが最良となる点の軌跡である。従って、光記録媒体５への記録を行う際にレーザ光源３１の出力を高出力状態と低出力状態とに高速で切り換えても、対物レンズ９１から光記録媒体５に収束させるレーザ光の光量をフロントモニタ用受光素子４５でモニターすることができる。
【００４８】
略円形の線で囲まれたスポット領域３０ｃは、光路Ｃ、Ｄなどの不要光の光路を通ったレーザ光の領域である。不要光は、対物レンズ９１を透過しているので、対物レンズ９１の開口で規定されたスポット領域３０ｃより外側には広がっていない。輪郭が実線であるスポット領域３０ｃは非トラッキング時のスポット領域を表し、輪郭が点線であるスポット領域３０ｃはトラッキング時のスポット領域を表している。トラッキング制御による対物レンズ９１の移動によって移動する全てのスポット領域３０ｃは、光線追跡を行うことによって求めることが可能である。
【００４９】
本形態では、フロントモニタ用受光素子４５の受光部４５ｂの全体が、トラッキング制御による対物レンズ９１の移動によって移動する全てのスポット領域３０ｃから外された位置に配設されているので、光記録媒体５によって反射された不要光が対物レンズ９１先の光量の制御に影響を与えることを抑制することができる。したがって、光ヘッド装置１は、対物レンズ９１先の光量の制御を安定化することができる。
【００５０】
なお、本形態では、フロントモニタ用受光素子４５の受光部４５ｂの全体が、トラッキング制御による対物レンズ９１の移動によって移動する全てのスポット領域３０ｃから外された位置に配設されているが、フロントモニタ用受光素子４５の受光中心位置４５ａが、トラッキング制御による対物レンズ９１の移動によって移動する全てのスポット領域３０ｃから外された位置に配設されているだけでも、光記録媒体５によって反射された不要光の影響を抑制することができる。
【００５１】
また、光路分離素子としては、本実施の形態において、ハーフミラー５２１を備えているが、ハーフミラーに限らず、プリズムなど、ハーフミラー以外の光学素子であっても良い。
【００５２】
［他の実施の形態］
上述した実施の形態においては、レーザ光源３２から出力される第２のレーザ光の光量調整を行うモニター用受光素子がレーザ光源３２に内蔵されていたため、レーザ光源３１から出力される第１のレーザ光の光量調整を行うフロントモニタ用受光素子４５のみについて配置の説明をしたが、レーザ光源３２についてもレーザ光源３１と同様にフロントモニタ用受光素子を設け、光路分離素子が、レーザ光源３２から出射された第２のレーザ光を部分透過および部分反射のいずれか一方によって対物レンズ９１に導くとともに部分透過および部分反射のいずれか他方によってレーザ光源３２用のフロントモニタ用受光素子に導く場合には、レーザ光源３２用のフロントモニタ用受光素子についても、レーザ光源３１用のフロントモニタ用受光素子４５と同様に適切な配置を行うことが好ましい。即ち、レーザ光源３２用のフロントモニタ用受光素子は、対物レンズ９１の開口で規定されて光記録媒体５によって反射されて光路分離素子によってフロントモニタ用受光素子側へ導かれる第２のレーザ光のスポット領域から受光中心位置が外された位置に配設され、レーザ光源３２から出射される第２のレーザ光の放射角度が変化したときの対物レンズ９１のカップリング効率とフロントモニタ用受光素子のカップリング効率とのリニアリティを求め、受光中心位置を第２のレーザ光の中心軸上からずらしてリニアリティの絶対値が小さい位置に配設すると好ましい。この場合、レーザ光源３２用のフロントモニタ用受光素子は、フロントモニタ用受光素子４５と併用してもよいし、別途設けるようにしてもよい。
【図面の簡単な説明】
【００５３】
【図１】（Ａ）、（Ｂ）、（Ｃ）は各々、本発明を適用した光ヘッド装置の平面図、側面図、および底面カバーなどを外した状態の底面図である。
【図２】本発明を適用した光ヘッド装置の光学系を示す概略構成図である。
【図３】レーザダイオードの出力と、光強度のピーク値の１／２における放射角度との関係を示すグラフである。
【図４】光強度のピーク値の１／２におけるＸ軸方向における放射角度θｘが９°、Ｙ軸方向における放射角度θｙが１７°の場合におけるフロントモニタ用受光素子のカップリング効率を示すグラフである。
【図５】レーザダイオードから出射されたレーザ光において、光強度のピーク値の１／２におけるＸ軸方向における放射角度θｘを８°、９°、１０°とし、Ｙ軸方向における放射角度θｙを１５°、１６°、１７°、１８°、１９°としたときのフロントモニタ用受光素子のカップリング効率を示すグラフである。
【図６】レーザダイオードから出射されたレーザ光において、光強度のピーク値の１／２におけるＸ軸方向における放射角度θｘを８°、９°、１０°とし、Ｙ軸方向における放射角度θｙを１５°、１６°、１７°、１８°、１９°としたときの対物レンズのカップリング効率を示すグラフである。
【図７】レーザダイオードから出射されるレーザ光の放射角度が変化したとき、レーザダイオードの光軸上を原点としたＸＹ座標上の各位置におけるリニアリティを算出した結果を示すグラフである。
【図８】フロントモニタ用受光素子の受光面と同一平面上におけるレーザ光を示す図である。
【符号の説明】
【００５４】
１  光ヘッド装置
５  光記録媒体
３０ａ  中心軸
３０ｃ  スポット領域
３１、３２  レーザ光源
４５  フロントモニタ用受光素子
４５ａ  受光中心位置
４５ｂ  受光部
９１  対物レンズ
５２１  ハーフミラー（光路分離素子）
【図１】
2008251110.tif 000007
【図２】
2008251110.tif 000008
【図３】
2008251110.tif 000009
【図４】
2008251110.tif 000010
【図５】
2008251110.tif 000011
【図６】
2008251110.tif 000012
【図７】
2008251110.tif 000013
【図８】
2008251110.tif 000014